(57)【要約】【課題】  ユーザーに対して操作を支援する情報を報知することで、操作性の向上を図ることができる電子機器を提供する。【解決手段】  ステップＳ３０５では、早送りキーを押した回数ｉを０に初期化し、ステップＳ３１０では、ｉの値を１つ増やす。続くステップＳ３１５では、早送り状態が５秒以上継続しているかを判断し、５秒以上継続している場合は、ステップＳ３２０に進み、そうでない場合は、ステップＳ３３０に進む。ステップＳ３２０では、Ｊｕｍｐについての説明を表示し、ステップＳ３３０に進む。ここで、Ｊｕｍｐの表示は、１０秒間行われる。このようにして、効率的な操作方法を報知することができ、ユーザーの操作性の向上が図れる。【選択図】  図５
2007004586.tif 000002
【特許請求の範囲】
【請求項１】
電子機器を操作する入力手段と、この入力手段による操作に応じてユーザーに各種情報や操作ガイドを報知するための処理を行う報知処理部とを備え、前記入力手段によって操作が行われた際、操作を支援する各種情報や操作ガイドを報知する電子機器であって、前記報知処理部によって、前記入力手段による操作に対して電子機器が同一の動作を発生させる複数の処理が可能である時、ユーザーが行った操作とは異なる効率的な操作方法を報知するように構成したことを特徴とする電子機器。
【請求項２】
ユーザーの操作履歴を算出する操作履歴処理部を備え、この操作履歴処理部によってユーザーが行った操作回数を記憶し、その回数が設定条件を満たす場合に、入力手段による操作に対してユーザーが行った操作とは異なる効率的な操作方法を報知するように構成したことを特徴とする請求項１記載の電子機器。
【請求項３】
同一の操作を連続的に繰り返した場合、その動作状態を情報として報知するように構成したことを特徴とする請求項１又は２記載の電子機器。
【請求項４】
前記入力手段による操作を実行した場合に、その操作に応じた電子機器の動作が適正か否かを判定し、その判定結果に基づいて不適の場合、その情報を報知することを特徴とする請求項１〜３の何れか１項に記載の電子機器。
【請求項５】
ユーザーが行った操作とは異なる効率的な操作方法を報知するモードと、ユーザーが行った操作に基づいて処理を行うモードとを切り換え可能としたことを特徴とする請求項１又は２記載の電子機器。
【発明の詳細な説明】
【技術分野】
【０００１】
本発明は、電子機器（特に、記録再生装置（ビデオテープレコーダー、ＣＤプレイヤー、ＤＶＤレコーダー、ＨＤＤレコーダー、等）及びテレビジョン受像機）並びにその操作の支援の方法に関するものである。
【背景技術】
【０００２】
近年の電子機器は、多機能化が進む一方で、操作が複雑になっている。このため、操作を支援する方法が提案されている。例えば、特許文献１は、リモコン操作に必要な操作ガイドを簡単な操作で表示させることが可能な技術を開示している。
【０００３】
【特許文献１】特開平８−６５５８７号公報
【発明の開示】
【発明が解決しようとする課題】
【０００４】
しかし、電子機器の操作支援の方法が不十分であり、ユーザーの操作性の向上が図られていないという問題があった。以下に問題の例を３つ述べる。
【０００５】
或る１つの動作を行うための操作の方法が複数存在する場合、ユーザーが通常行っている操作よりも効率的な操作方法があるにもかかわらず、その効率的な操作が行われずに、劣る操作が行われ続けるという問題があった。
【０００６】
例えば、或るテレビジョン受像機の音量をゼロにする方法として３つの操作方法があったとする。１つ目は、「音量Ｄｏｗｎ」と書かれたキーを何度も押すという方法であり、２つ目は、「音量Ｄｏｗｎ」と書かれたキーを押し続けるという方法であり、３つ目は、「ミュート」と書かれたキーを押すという方法である。ここで、１つ目の方法しか知らないユーザーは、この方法で音量をゼロにするという目的を遂げることができるため、音量をゼロにするということについて、ガイド機能やヘルプ機能を使用して調べるということ自体がなされず、この結果、これよりも便利な方法（２つ目の方法及び３つ目の方法）があるにもかかわらず、１つ目の方法を採用し続けることになる。
【０００７】
また、操作を支援する情報の報知が不十分であって、十分に支援の機能を果たしていない場合があるという問題があった。
【０００８】
例えば、早送りキーを押す毎に、再生速度が、２倍、５倍、７倍、１０倍と変化し、更に早送りキーを押すと、１倍の通常再生に戻る再生装置があったとする。従来は、１０倍で再生している時に、「１０倍」としか表示されないため、ユーザーが更に再生倍率を上げようと考え、再生キーを押すと１倍の再生速度に落ちてしまい、また、再生速度を上げなおすという無駄な操作を行うことになる。
【０００９】
更に、操作を行った際に、それに対応する動作を完全に実行させることができないにもかかわらず、そのことがユーザーに報知されないため、不満足な結果を得る場合があるという問題があった。
【００１０】
例えば、ディスク記録装置で録画予約をする際に、ディスクの記憶可能領域の残りが少なく、当該予約番組が全て録画できない場合であっても、別段、情報の報知がなされないため、番組の全部が記憶されないという問題があった。
【００１１】
本発明は、上述の問題点に鑑みてなされたものであり、ユーザーに対して操作を支援する情報を報知することで、操作性の向上を図ることを目的とする。
【課題を解決するための手段】
【００１２】
請求項１に記載の電子機器は、電子機器を操作する入力手段と、この入力手段による操作に応じてユーザーに各種情報や操作ガイドを報知するための処理を行う報知処理部とを備え、前記入力手段によって操作が行われた際、操作を支援する各種情報や操作ガイドを報知する電子機器であって、前記報知処理部によって、前記入力手段による操作に対して電子機器が同一の動作を発生させる複数の処理が可能である時、ユーザーが行った操作とは異なる効率的な操作方法を報知するように構成したことを特徴とする。
【００１３】
請求項１に記載の電子機器によれば、ユーザーに対して、効率的な操作方法に関する情報を与えることができる。
【００１４】
請求項２に記載の電子機器は、請求項１において、ユーザーの操作履歴を算出する操作履歴処理部を備え、この操作履歴処理部によってユーザーが行った操作回数を記憶し、その回数が設定条件を満たす場合に、入力手段による操作に対してユーザーが行った操作とは異なる効率的な操作方法を報知するように構成したことを特徴とする。
【００１５】
請求項２に記載の電子機器によれば、ユーザーに対して、操作が行われた回数に応じて、効率的な操作方法に関する情報を与えることができる。
【００１６】
請求項３に記載の電子機器は、請求項１又は２において、同一の操作を連続的に繰り返した場合、その動作状態を情報として報知するように構成したことを特徴とする。
【００１７】
請求項３に記載の電子機器によれば、同一の操作を連続的に繰り返す場合に、ユーザーの操作性を向上できる。
【００１８】
請求項４に記載の電子機器は、請求項１〜３の何れか１項において、前記入力手段による操作を実行した場合に、その操作に応じた電子機器の動作が適正か否かを判定し、その判定結果に基づいて不適の場合、その情報を報知することを特徴とする。
【００１９】
請求項４に記載の電子機器によれば、操作に対応する動作が適正ではない状態で終了する前に、その問題点を報知することで、ユーザーにその問題の解決の必要性を提言することができる。
【００２０】
請求項５に記載の電子機器は、請求項１又は２において、ユーザーが行った操作とは異なる効率的な操作方法を報知するモードと、ユーザーが行った操作に基づいて処理を行うモードとを切り換え可能としたことを特徴とする。
【００２１】
請求項５に記載の電子機器によれば、予め効率的な操作方法を報知するモードに設定しておくことで、ユーザーに対して、自動的に効率的な操作方法に関する情報を与えることができる。
【発明の効果】
【００２２】
本発明によれば、ユーザーに対して操作を支援する情報を報知することで、操作性の向上を図ることができる。
【発明を実施するための最良の形態】
【００２３】
本発明の実施の形態を、図面を参照して説明する。なお、以下の実施例は本発明の具体例の１つに過ぎず、本発明が以下の実施形態に限定されるものではない。
【実施例】
【００２４】
本発明による一実施例が採用された電子機器の装置構成を図１に示す。
【００２５】
チューナ１０で受信された信号は、映像音声処理部２０で記憶するためのフォーマットに変換され、記憶媒体３０に記憶される。そして、その記憶された映像データが表示部４０に表示される。ユーザーはリモコン送信機８１を操作し、出力された信号がリモコン受光部８０で受信され、マイコン５０に入力される。
【００２６】
マイコン５０は、表示部に各操作ガイドやメニュー等を表示する制御を行う表示制御部５１、ユーザーに各情報や操作ガイドを報知する制御を行う報知処理部５２、動作制御部や操作履歴処理部などのデータをもとに装置の各動作や推奨操作の操作ガイドの制御を行う操作ガイド制御部５３、各動作や機能に対応した操作ガイドを記憶しておく操作ガイド記憶部５４、走査記憶制御部のデータによりユーザーの各動作使用の履歴を算出する操作履歴処理部５５、キー処理部からのキーコードによって、装置の各動作を行う制御をする動作制御部５６、ユーザーが行った操作や使用した機能などを記憶しておく操作記憶制御部５７、マイコンのＣＰＵ部であり装置全体の各動作全てを制御する制御部５８、及び、リモコン送信機からのキーコードを受け付け、判別し動作処理部に渡すキー処理部５９を具備し、それぞれ、図１に示すように接続されている。
【００２７】
メモリ７０は、外部メモリで、チャンネル、マイコン初期値、調整項目等の各種データを記憶しておく、Ｅ２ＰＲＯＭ等の不揮発メモリである。
【００２８】
ユーザーは、図２に示したように、当該電子機器のメニュー設定により、本発明の操作支援を受けるモードにすることができる。なお、ここでは、本発明の操作支援を行うモードを「おせっかいモード」と表記している。
【００２９】
装置の動作は、基本的に、図３に示した２つの基本動作による。即ち、図３（ａ）に示す、操作履歴の作成と、図３（ｂ）に示す、別の操作の表示である。
【００３０】
具体的な流れを図４から図１０までを用いて説明する。
【００３１】
先ず、本発明のモード（おせっかいモード）が設定されると、図４に示す処理が行われる。即ち、ステップＳ２１０からステップＳ２５０の各ステップにおいて、各キーが押されたかを判定し、各キーによって異なった処理を行う。具体的に説明する。ステップＳ２１０で早送りキーが押されていた場合は、図５に示す処理に移行し、そうでない場合は、ステップＳ２２０に進む。ステップＳ２２０で戻しキーが押されていた場合は、図６及び図７に示す処理に移行し、そうでない場合は、ステップＳ２３０に進む。ステップＳ２３０でＺｏｏｍキーが押されていた場合は、図８に示す処理に移行し、そうでない場合は、ステップＳ２４０に進む。ステップＳ２４０でＢａｃｋ  Ｓｋｉｐキーが押されていた場合は、図９に示す処理に移行し、そうでない場合は、ステップＳ２５０に進む。ステップＳ２５０で録画キー又は予約録画キーが押されていた場合は、図１０に示す処理に移行し、そうでない場合は、ステップＳ２１０に進む。
【００３２】
以下、図４の各ステップから移行した先の処理（図５から図１０までに記載）について説明する。
【００３３】
図５の処理を説明する。ステップＳ３０５では、早送りキーを押した回数ｉを０に初期化し、ステップＳ３１０では、ｉの値を１つ増やす。続くステップＳ３１５では、早送り状態が５秒以上継続しているかを判断し、５秒以上継続している場合は、ステップＳ３２０に進み、そうでない場合は、ステップＳ３３０に進む。ステップＳ３２０では、Ｊｕｍｐについての説明を表示し、ステップＳ３３０に進む。ここで、Ｊｕｍｐの表示は、１０秒間行われる。
【００３４】
ステップＳ３３０では、ｉが最大値になっているかを判断し、最大値になっている場合は、ステップＳ３３５に進み、そうでない場合は、ステップＳ３４５に進む。ステップＳ３３５では、倍速がＭａｘであること、及び、もう一度押すと低倍速に戻ることを表示する。この表示は１０秒間行われる。
【００３５】
ステップＳ３４５では、早送りキーが押されたかを判断し、押されていた場合は、ステップＳ３１０に進み、そうでない場合は、ステップＳ３１５に進む。
【００３６】
図６及び図７の処理を説明する。ステップＳ４０５では、戻しキーの押された時間Ａを記録し、ステップＳ４１０では、戻しキーを押した回数ｉを０に初期化し、ステップＳ４１５では、ｉの値を１つ増やす。続くステップＳ４２０では、戻し状態が５秒以上継続しているかを判断し、５秒以上継続している場合は、ステップＳ４２５に進み、そうでない場合は、ステップＳ４３５に進む。ステップＳ４２５では、Ｊｕｍｐについての説明を表示し、ステップＳ４３５に進む。ここで、Ｊｕｍｐの表示は、１０秒間行われる。
【００３７】
ステップＳ４３５では、Ｐｌａｙキーが押されたかを判断し、押されていた場合は、ステップＳ４４０に進み、そうでない場合は、ステップＳ４９０に進む。
【００３８】
ステップＳ４４０では、Ｐｌａｙキーの押された時間Ｂを記録する。続くステップＳ４４５では、戻しキーが押されたかを判断し、押されていた場合は、ステップＳ４５０に進み、そうでない場合は、ステップＳ４４５に進む。ステップＳ４５０では、Ｐｌａｙキーが押されたかを判断し、押されていた場合は、ステップＳ４５５に進み、そうでない場合は、ステップＳ４５０に進む。
【００３９】
ステップＳ４５５では、Ｐｌａｙキーが押された時の時間のＢの前後１０秒以内であるかを判断し、１０秒以内の場合は、ステップＳ４６０に進み、そうでない場合は、ステップＳ４７０に進む。ステップＳ４６０では、Ｍａｒｋｅｒについての説明を表示し、ステップＳ４７０に進む。ここで、この表示は、１０秒間行われる。
【００４０】
ステップＳ４７０では、戻しキーが押されたかを判断し、押されていた場合は、ステップＳ４７０に進み、そうでない場合は、ステップＳ４７５に進む。ステップＳ４７５では、戻しキーが押された時の時間がＡの５秒以内であるかを判断し、５秒以内の場合は、ステップＳ４８０に進み、そうでない場合は、ステップＳ４０５に進む。ステップＳ４８０では、Ａ−Ｂリピートについての説明を表示し、ステップＳ４０５に進む。ここで、この表示は、１０秒間行われる。
【００４１】
ステップＳ４９０では、ｉが最大の回数であるかを判断し、最大の回数である場合は、ステップＳ４９５に進み、そうでない場合は、ステップＳ５０５に進む。ステップＳ４９５では、倍速がＭａｘであること、及び、もう一度押すと低倍速に戻ることを表示する。ここで、この表示は、５秒間行われる。
【００４２】
ステップＳ５０５では、戻しキーが押されたかを判断し、押されていた場合は、ステップＳ４１５に進み、そうでない場合はステップＳ４２０に進む。
【００４３】
図８の処理を説明する。ステップＳ６０５では、Ｚｏｏｍキーを押した回数ｉを０に初期化する。続くステップＳ６１０では、ｉの値を１つ増やす。続くステップＳ６１５では、ｉが最大の回数であるかを判断し、最大の回数である場合は、ステップＳ６２０に進み、そうでない場合は、ステップＳ６１０に進む。
【００４４】
ステップＳ６２０では、倍率がＭａｘであること、及び、もう一度押すと低倍率に戻ることを表示する。ここで、この表示は、５秒間行われる。
【００４５】
図９の処理を説明する。ステップＳ７０５では、Ｂａｃｋ  Ｓｋｉｐキーが、Ｔｒａｃｋ又はＣｈａｐｔｅｒの終わりから２０秒以内の場所で押されたかを判断し、２０秒以内の場所で押された場合は、ステップＳ７１５に進み、そうでない場合は、ステップＳ７１０に進む。ステップＳ７１０では、そのまま、動作を継続する。ステップＳ７１５では、Ｔｒａｃｋ  Ｒｅｐｅａｔ又はＣｈａｐｔｅｒ  Ｒｅｐｅａｔについての説明を表示する。ここで、この表示は、１０秒間行われる。
【００４６】
図１０の処理を説明する。ステップＳ８０５では、Ｄｉｓｃ又はテープの残量ａを算出し、ステップＳ８１０では、録画する予定の時間ｂを算出し、ステップＳ８１５では、編集又はＣＭカットによって減らすことのできる時間ｃを算出し、ステップＳ８２０に進む。
【００４７】
ステップＳ８２０では、ａ＞ｂであるかを判断し、ａ＞ｂの場合は、ステップＳ８２５に進み、そうでない場合は、ステップＳ８３０に進む。ステップＳ８２５では、そのまま録画を開始する。
【００４８】
ステップＳ８３０では、ａ＞（ｂ−ｃ）であるかを判断し、ａ＞（ｂ−ｃ）の場合は、ステップＳ８３５に進み、そうでない場合は、ステップＳ８４０に進む。ステップＳ８３５では、編集すればＯＫであることを表示し、ステップＳ８４５に進む。ステップＳ８４０では、Ｄｉｓｃ又はテープの交換を勧める表示を行い、ステップＳ８４５に進む。
【００４９】
ステップＳ８４５では、録画を開始し、ステップＳ８５０では、５秒後に表示を取り消す。
【００５０】
以上、早送りキー、戻しキー、Ｚｏｏｍキー、Ｂａｃｋ  Ｓｋｉｐキー、録画キー、及び、予約録画キーの場合について説明したが、本発明は、これ以外の、例えば、ボリュームＤｏｗｎキー、チャンネルＵｐ／Ｄｏｗｎキー、及び、外部切り替えキーの場合にも適用できる。具体的な処理を、図１１から図１３に示す。
【００５１】
図１１は、ボリュームＤｏｗｎキーの場合の例である。ステップＳ９１０では、ボリュームＤｏｗｎキーの入力が、長押しであるかを判断し、長押しである場合は、ステップＳ９１５に進み、そうでない場合は、ステップＳ９２０に進む。ステップＳ９１５では、ミュートキー入力で音量ゼロが可能であることを表示する。ステップＳ９２０では、単にボリュームをＤｏｗｎする。
【００５２】
図１２は、チャンネルＵｐ／Ｄｏｗｎキーの場合の例である。ステップＳ９４０では、チャンネルＵｐ／Ｄｏｗｎキーの入力が、長押しであるかを判断し、長押しである場合は、ステップＳ９４５に進み、そうでない場合はステップＳ９５０に進む。ステップＳ９４５では、ＥＰＧ表示を行い、チャンネル選択が可能であることを表示する。ステップＳ９５０では、単にチャンネルをＵｐ／Ｄｏｗｎする。
【００５３】
図１３は、外部切り替えキーの場合の例である。ステップＳ９７０では、映像音声入出力端子の判別を行い、続くステップＳ９７５では、コンポジット入出力であるかを判断し、コンポジット入出力の場合は、ステップＳ９８０に進み、そうでない場合はステップＳ９８５に進む。ステップＳ９８０では、コンポーネント入出力等のより高品質な画像入出力方法を表示する。ステップＳ９８５では、単に現在の入出力端子による接続を行う。
【００５４】
なお、上述の実施例は、表示部４０にその情報のみを表示したり、オンスクリーン表示をしたりするものであるが、音声によってユーザーに報知しても良い。
【００５５】
また、任意の操作について、普段の使用頻度を算出し、ある回数に達した際に、同一の動作を発生させる別の効率的な操作方法を報知するようにしても良い。
【００５６】
以上述べたように、本発明では、ユーザーに対して操作を支援する情報を報知することで、操作性の向上を図ることができる。
【図面の簡単な説明】
【００５７】
【図１】実施例の装置構成を示すブロック図である。
【図２】実施例において操作支援を行うモードをセットする画面を示す図である。
【図３】実施例の装置の基本動作を示すフローチャートである。
【図４】実施例の処理手順を示すフローチャートである。
【図５】実施例の処理手順を示すフローチャートである。
【図６】実施例の処理手順を示すフローチャートである。
【図７】実施例の処理手順を示すフローチャートである。
【図８】実施例の処理手順を示すフローチャートである。
【図９】実施例の処理手順を示すフローチャートである。
【図１０】実施例の処理手順を示すフローチャートである。
【図１１】実施例の処理手順を示すフローチャートである。
【図１２】実施例の処理手順を示すフローチャートである。
【図１３】実施例の処理手順を示すフローチャートである。
【符号の説明】
【００５８】
１０  チューナ
２０  映像音声処理部
３０  記録媒体
４０  表示部
５０  マイコン
５１  表示制御部
５２  報知処理部
５３  操作ガイド制御部
５４  操作ガイド記憶部
５５  操作履歴処理部
５６  動作制御部
５７  操作記憶制御部
５８  制御部
５９  キー処理部
７０  メモリ
８０  リモコン受光部
８１  リモコン送信部
【図１】
2007004586.tif 000003
【図２】
2007004586.tif 000004
【図３】
2007004586.tif 000005
【図４】
2007004586.tif 000006
【図５】
2007004586.tif 000007
【図６】
2007004586.tif 000008
【図７】
2007004586.tif 000009
【図８】
2007004586.tif 000010
【図９】
2007004586.tif 000011
【図１０】
2007004586.tif 000012
【図１１】
2007004586.tif 000013
【図１２】
2007004586.tif 000014
【図１３】
2007004586.tif 000015